(57)【要約】【課題】従来のカメラ付き携帯電話機と同様の利用を維持しながら、カメラの向きや位置を自由にセッティングできて、周囲の会議参加者や背景などを含めた広範囲の同時撮影が可能であるとともに、撮影のために携帯電話機本体を手に持つ必要がなく、ユーザの自由度が向上するなどの、利便性の優れた携帯テレビ電話システムを提供する。【解決手段】携帯電話機１と、該携帯電話機に着脱自在に装着できるカメラ２と、これら携帯電話機及びカメラから分離したヘッドセット３とからなる。カメラが携帯電話機に対し着脱自在となっていて、携帯電話機に装着したときにはＵＳＢコネクタにより携帯電話機と直接接続され、携帯電話機より取り外したときには、携帯電話機との間で映像用のＢｌｕｅｔｏｏｔｈ規格モジュールモジュール１２・２１により近距離無線通信を行う。携帯電話機とヘッドセットとの間は、音声用のＢｌｕｅｔｏｏｔｈ規格モジュールモジュール１０・１７により近距離無線通信を行う。【選択図】図４
2007124247.tif 000002
【特許請求の範囲】
【請求項１】
携帯電話機と、該携帯電話機に着脱自在に装着できるカメラと、これら携帯電話機及びカメラから分離したヘッドセットとからなり、携帯電話機には、カメラとの間の映像信号の送受信を近距離無線通信で行う映像用近距離無線通信モジュールと、ヘッドセットとの間の音声信号の送受信を近距離無線通信で行う音声用近距離無線通信モジュールとが備えられ、カメラには、携帯電話機に取り付けたときに携帯電話機と直接接続するコネクタと、携帯電話機から取り外したときに携帯電話機との間の映像信号の送受信を近距離無線通信で行う映像用近距離無線通信モジュールとが備えられ、ヘッドセットには、携帯電話機との間の音声信号の送受信を近距離無線通信で行う音声用近距離無線通信モジュールが備えられていることを特徴とする携帯テレビ電話システム。
【請求項２】
映像用近距離通信モジュール及び音声用近距離無線通信モジュールがＢｌｕｅｔｏｏｔｈ規格モジュールであることを特徴とする請求項１に記載の携帯テレビ電話システム。
【請求項３】
映像用近距離無線通信モジュール及び音声用近距離無線通信モジュールがＨｏｍｅＲＦ規格モジュールであることを特徴とする請求項１に記載の携帯テレビ電話システム。
【請求項４】
携帯電話機と直接接続するカメラのコネクタがＵＳＢ規格コネクタであることを特徴とする請求項１、２又は３に記載の携帯テレビ電話システム。
【発明の詳細な説明】
【技術分野】
【０００１】
本発明は、携帯電話機を用いたテレビ電話が可能な携帯テレビ電話システムに関する。
【背景技術】
【０００２】
特許文献１（再公表特許：国際公開番号ＷＯ０１／０９９３９３）には、携帯電話機と、腕時計型情報機器と、ヘッドセットとを用いた携帯テレビ電話システムが開示されている。この携帯テレビ電話システムでは、腕時計型情報機器にカメラを内蔵し、この腕時計型情報機器を腕に装着して、腕時計を見るようにして自画像を撮影し、その画像をＢｌｕｅｔｏｏｔｈモジュールにて携帯電話機へ無線送信する。また、携帯電話機で受信した音声をＢｌｕｅｔｏｏｔｈ（商標）モジュールにてヘッドセットへ無線送信する。
【０００３】
しかし、これによると、携帯電話機及びヘッドセットの他に、カメラを内蔵した腕時計型情報機器を別途必要とするので、高価になる。また、この腕時計型情報機器は、ただでさえ表面積が小さい腕時計にカメラを操作するボタン等も組み込まなければならず、小さいボタンが密集する形となるので、操作性が悪くなる問題もある。
【０００４】
また、カメラを内蔵したカメラ付き携帯電話機が広く普及し、操作性も向上していることから、カメラ付き携帯電話機を利用したテレビ電話も試みられているが、カメラが携帯電話機本体に固定されているため、撮影範囲が制限され、周囲の会議参加者や背景などを含めた広範囲の同時撮影ができないとか、撮影のために携帯電話機本体を手に持つ必要があるなどの不便さがある。
【特許文献１】再公表特許：国際公開番号ＷＯ０１／０９９３９３
【発明の開示】
【発明が解決しようとする課題】
【０００５】
そこで、本発明の課題は、携帯電話機については、従来のカメラ付き携帯電話機と同様の利用を維持しながら、カメラの向きや位置を自由にセッティングできて、周囲の会議参加者や背景などを含めた広範囲の同時撮影が可能であるとともに、撮影のために携帯電話機本体を手に持つ必要がなく、ユーザの自由度が向上するなどの、利便性の優れた携帯テレビ電話システムを提供することにある。
【課題を解決するための手段】
【０００６】
本発明の携帯テレビ電話システムは、携帯電話機と、該携帯電話機に着脱自在に装着できるカメラと、これら携帯電話機及びカメラから分離したヘッドセットとからなり、携帯電話機には、カメラとの間の映像信号の送受信を近距離無線通信で行う映像用近距離無線通信モジュールと、ヘッドセットとの間の音声信号の送受信を近距離無線通信で行う音声用近距離無線通信モジュールとが備えられ、カメラには、携帯電話機に取り付けたときに携帯電話機と直接接続するコネクタと、携帯電話機から取り外したときに携帯電話機との間の映像信号の送受信を近距離無線通信で行う映像用近距離無線通信モジュールとが備えられ、ヘッドセットには、携帯電話機との間の音声信号の送受信を近距離無線通信で行う音声用近距離無線通信モジュールが備えられていることを特徴とする。
【０００７】
映像用近距離通信モジュール及び音声用近距離無線通信モジュールとしては、Ｂｌｕｅｔｏｏｔｈ（商標）規格モジュール又はＨｏｍｅＲＦ（商標）規格モジュールがよく、また、携帯電話機と直接接続するカメラのコネクタはＵＳＢ（Universal Serial Bus）規格コネクタがよい。
【発明の効果】
【０００８】
本発明によれば、カメラが携帯電話機に対し着脱自在となっていて、携帯電話機に装着したときにはコネクタにより携帯電話機と直接接続され、携帯電話機より取り外したときに、携帯電話機との間で映像用近距離無線通信モジュールにより近距離無線通信を行うので、カメラの向きや位置を自由にセッティングできて、周囲の会議参加者や背景などを含めた広範囲の同時撮影が可能であるとともに、撮影のために携帯電話機本体を手に持つ必要がなく、ユーザの自由度が向上する。しかも、カメラは、携帯電話機に装着したときにはコネクタにより携帯電話機と直接接続されるので、従来のカメラ付き携帯電話機と同様の利用も可能である。
【０００９】
映像用近距離通信モジュール及び音声用近距離無線通信モジュールとしては、Ｂｌｕｅｔｏｏｔｈ規格モジュール又はＨｏｍｅＲＦ規格モジュールを用いることにより、既製のモジュールを組み込むことで簡単に実現できる。
【００１０】
携帯電話機と直接接続するカメラのコネクタをＵＳＢ規格コネクタとすることにより、映像信号の転送と、カメラへの電源供給（充電器付きカメラの場合、その充電器への電源供給も含む）を一つのコネクタで実現できる。
【発明を実施するための最良の形態】
【００１１】
次に、本発明の実施例を図面に基づいて詳細に説明する。
【実施例】
【００１２】
本発明による携帯テレビ電話システムは、図１に示すように、携帯電話機１と、その本体１ａに着脱自在に装着することができるカメラ２と、これら携帯電話機１及びカメラ２から分離したワイヤレス式ヘッドセット３とからなる。
【００１３】
携帯電話機１とヘッドセット３との間は、音声信号が近距離無線通信される。携帯電話機１は、カメラ２を装着したときには、カメラ２と直接接続されて、従来のカメラ付き携帯電話機と同等の機能を有する。カメラ２を取り外すと、携帯電話機１との間で映像信号が近距離無線通信され、ヘッドセット３と併用することで、カメラ２を適宜な位置にセットしたテレビ電話を実現できるようになっている。
【００１４】
携帯電話機本体１ａは、本例の場合、下部４に対して上部５を折り畳むことができるようになっており、その上部５に、カメラ２をすっぽりと収めることができるカメラ収納凹部６が形成されており、図１はここにカメラ２を収納した状態である。
【００１５】
図２は、カメラ２をカメラ収納凹部６から抜き出して携帯電話機本体１ａから取り外した状態を示す。カメラ２には、カメラ収納凹部６に収納したときに、携帯電話機本体１ａと直接接続するためのＵＳＢコネクタ７が突設されている。
【００１６】
図３は、カメラ２を携帯電話機本体１ａに装着したときに機能する内部構成のブロック図である。
【００１７】
携帯電話機本体１ａには、ＣＰＵ８、液晶ディスプレイ（ＬＣＤ）９、音声用近距離無線通信モジュールであるＢｌｕｅｔｏｏｔｈ規格モジュール（ＢＴモジュール）１０、このＢｌｕｅｔｏｏｔｈ規格モジュール１０とＣＰＵ８との間で音声信号変換を行う音声コーデック１１の他に、映像用近距離無線通信モジュールであるＢｌｕｅｔｏｏｔｈ規格モジュール（ＢＴモジュール）１２、及びこのＢｌｕｅｔｏｏｔｈ規格モジュール１２とＣＰＵ８との間で映像信号変換を行う映像コーデック１３が組み込まれているが、Ｂｌｕｅｔｏｏｔｈ規格モジュール１２及び映像コーデック１３は、カメラ２が携帯電話機本体１ａに装着されたときには無効となり、カメラ２との間はＵＳＢコネクタ７で直接接続される。
【００１８】
ヘッドセット３には、ＣＰＵ１４、マイクロフォン１５、レシーバ１６、音声用近距離無線通信モジュールであるＢｌｕｅｔｏｏｔｈ規格モジュール（ＢＴモジュール）１７、このＢｌｕｅｔｏｏｔｈ規格モジュール１７とＣＰＵ８との間、及びマイクロフォン１５、レシーバ１６とＣＰＵ８との間で音声信号変換を行う音声コーデック１８が組み込まれている。ヘッドセット３と携帯電話機１との間は、両者に組み込まれたＢｌｕｅｔｏｏｔｈ規格モジュール１７及びＢｌｕｅｔｏｏｔｈ規格モジュール１０により、無線通信にて音声信号の授受が行われる。
【００１９】
従って、図１及び図３に示すように、カメラ２を携帯電話機本体１ａに装着したときには、携帯電話機１を従来のカメラ付き携帯電話機と同様にして使用できるとともに、ヘッドセット３を頭部に装着して電話先相手と会話できる。
【００２０】
図４は、カメラ２を携帯電話機本体１ａから取り外したときに機能する内部構成のブロック図である。
【００２１】
カメラ２には、ＣＰＵ１９及び撮像部２０の他に、映像用近距離無線通信モジュールであるＢｌｕｅｔｏｏｔｈ規格モジュール（ＢＴモジュール）２１、及びこのＢｌｕｅｔｏｏｔｈ規格モジュール２１とＣＰＵ１９との間で映像信号変換を行う映像コーデック２２が組み込まれている。Ｂｌｕｅｔｏｏｔｈ規格モジュール２１と映像コーデック２２とは、カメラ２を携帯電話機本体１ａから取り外したときに有効となり、カメラ２と携帯電話機１との間で、両者に組み込まれたＢｌｕｅｔｏｏｔｈ規格モジュール２１及びＢｌｕｅｔｏｏｔｈ規格モジュール１２により、無線通信にて映像信号の授受が行われる。
【００２２】
従って、図２及び図４に示すように、カメラ２を携帯電話機本体１ａから取り外したときには、ヘッドセット３を頭部に装着し、カメラ２を携帯電話機本体１ａから離れた適宜な位置にセットして撮影しながら、ユーザは居場所を固定されることなく、自由なテレビ電話が可能となる。例えば、旅行中であれば、携帯電話機１を鞄の中に入れ、カメラ２は眼鏡や耳などに装着して歩きながら周囲の風景を撮影し、電話先相手にその映像を配信するといったようなテレビ電話を実現できる。また、道案内や遠隔操作指導などの用途にも適用できる。
【産業上の利用可能性】
【００２３】
上記の実施例では、近距離無線通信モジュールとしてＢｌｕｅｔｏｏｔｈ規格モジュール１０・１２・１７・２１を用いたが、ＨｏｍｅＲＦ（商標）規格モジュールを用いてもよい。
【図面の簡単な説明】
【００２４】
【図１】本発明の実施例のシステム構成図で、カメラを携帯電話機本体に装着した状態を示す。
【図２】同じく、カメラを携帯電話機本体から取り外した状態を示す。
【図３】カメラを携帯電話機本体に装着した状態での内部構成ブロック図である。
【図４】カメラを携帯電話機本体から取り外した状態での内部構成ブロック図である。
【符号の説明】
【００２５】
１  携帯電話機
１ａ  携帯電話機本体
２  カメラ
３  ヘッドセット
４・５  携帯電話機本体の下部・上部
６  カメラ収納凹部
７  ＵＳＢコネクタ
８・１４・１９  ＣＰＵ
９  液晶ディスプレイ
１０・１２・１７・２１  Ｂｌｕｅｔｏｏｔｈ規格モジュール
１１・１８  音声コーデック
１３・２２  映像コーデック
１５  マイクロフォン
１６  レシーバ
２０  撮像部
【図１】
2007124247.tif 000003
【図２】
2007124247.tif 000004
【図３】
2007124247.tif 000005
【図４】
2007124247.tif 000006